(57)【要約】【課題】小径遊技球の使用の検知とともに、その後の遊技を不能とする発射装置。【解決手段】遊技球保持部と、遊技球保持部に保持された遊技球を打球する打球位置と打球位置から退避した退避位置との間で揺動する打球槌と、打球槌を保持するノックアームと、ノックアームを揺動させる駆動手段と、を有する弾球遊技機の発射装置であって、遊技球保持部は、正常な径の遊技球は打球位置に保持するが、該正常な径よりも小径の遊技球を通過させて下方に落下させる間隙を有し、前記ノックアームは、先端部に前記打球槌を有し、後端部に打球位置より下方に位置する揺動回転中心を有するとともに、該間隙を通過して落下した小径の遊技球を受け入れて保持する小球保持部が先端部と後端部との間に形成され、発射装置は、ノックアームが打球槌を打球位置に位置させる方向に変位した際に、小球保持部に保持された小径の遊技球に当接して打球槌の打球位置への変位を阻止するストッパを備えた発射装置を有する弾球遊技機。【選択図】図６
2013208171.tif 000002
【特許請求の範囲】
【請求項１】
遊技球保持部と、前記遊技球保持部に保持された遊技球を打球する打球位置と前記打球位置から退避した退避位置との間で揺動する打球槌と、前記打球槌を保持するノックアームと、前記ノックアームを揺動させる駆動手段と、を有する弾球遊技機の発射装置であって、
前記遊技球保持部は、正常な径の遊技球は前記打球位置に保持するが、該正常な径よりも小径の遊技球を通過させて下方に落下させる間隙を有し、
前記ノックアームは、先端部に前記打球槌を有し、後端部に揺動回転中心を有するとともに、前記間隙を通過して落下した前記小径の遊技球を受け入れて保持する小球保持部が前記先端部と前記後端部との間に形成され、
前記発射装置は、前記ノックアームが前記打球槌を打球位置に位置させる方向に変位した際に、前記小球保持部に保持された小径の遊技球に当接して前記打球槌の打球位置への変位を阻止するストッパを備え、
前記間隙を通過し落下して前記小球保持部に保持された前記小径の遊技球が、前記ノックアームの揺動に伴って前記小球保持部に保持されたまま揺動して前記ストッパに当接することにより、前記打球槌の前記打球位置への変位を阻止して遊技球の発射を不能とすることを特徴とする弾球遊技機の発射装置。
【請求項２】
請求項１において、
前記小球保持部を覆うカバーが、前記ノックアームの揺動面に略平行に設けられていることを特徴とする弾球遊技機の発射装置。
【請求項３】
請求項１ないし２において、
前記小球保持部は、上方が開口した略コ字状の小球保持空間を有し、前記小球保持空間は、前記ノックアームの揺動する円弧に対して略接する方向に設けられた前記打球槌の側面と、前記側面に連続したノックアーム本体側面とから形成されていることを特徴とする弾球遊技機の発射装置。
【発明の詳細な説明】
【技術分野】
【０００１】
本発明は、弾球遊技機の発射装置に関するものである。
【背景技術】
【０００２】
パチンコ機などの弾球遊技機は、遊技球が流下する遊技領域が遊技盤面に形成されており、この遊技盤を支持する基台の下方に設けられた発射装置のハンドルを回動操作すると、ハンドルの回動量に基づく打ち出し強度で遊技球が遊技領域に向けて打ち出されるようになっている。
この発射装置によって打ち出された遊技球は、遊技盤上に設けられた内側ガイドレールと外側ガイドレールから形成される遊技球案内通路を通り、遊技領域に投入される。
【０００３】
このようなパチンコ機においては、投入された遊技球が遊技領域内に形成されている始動入賞口に入賞することにより抽選が行われ、当選すると、遊技者に有利な特別遊技状態となるように構成されている。
したがって、遊技者は、この始動入賞口に遊技球を入賞させようと遊技するのであるが、この始動入賞口は、通常、遊技球（直径１１ｍｍ）がぎりぎり通過できる幅に固定された遊技くぎによりガードされていたり、あるいは始動入賞口の入口が、遊技球がぎりぎり通過できる幅に設計されていたりする。これにより、遊技球が始動入賞口に容易には入賞しないようにされている。
【０００４】
しかし、直径１１ｍｍの遊技球よりも小径の遊技球を使うならば、このような小径の遊技球は始動入賞口に入りやすくなる。
そこで、不正に入賞率を上げようとする者により、このような小径の遊技球を通常の遊技球に混入させて遊技されてしまうことがある。
このような不正遊技は「小球ゴト」と言われるが、この小球ゴトに対処するため、特許文献１には、小径の遊技球を発射することなく回収部に回収保持することが提案されている。
【先行技術文献】
【特許文献】
【０００５】
【特許文献１】特開平１０−２９０８６１号公報
【発明の概要】
【発明が解決しようとする課題】
【０００６】
しかしながら、上記特許文献１に記載のパチンコ機では、小径の不正な遊技球を混入させたとしても、その混入した不正な遊技球を回収することができるのみで、遊技自体は続行することができるし、しかもそのような不正遊技が行われていることの検知もできない。
【０００７】
本発明は、上記した実情に鑑みてなされたものであり、その目的は、小径の遊技球を用いた不正遊技を検知することとあわせて、そのような不正な遊技球を用いた後の遊技を不能とすることができる発射装置を備えた弾球遊技機を提供することにある。
【課題を解決するための手段】
【０００８】
上記の目的を達成するために、本発明は、遊技球保持部と、前記遊技球保持部に保持された遊技球を打球する打球位置と前記打球位置から退避した退避位置との間で揺動する打球槌と、前記打球槌を保持するノックアームと、前記ノックアームを揺動させる駆動手段と、を有する弾球遊技機の発射装置であって、
前記遊技球保持部は、正常な径の遊技球は前記打球位置に保持するが、該正常な径よりも小径の遊技球を通過させて下方に落下させる間隙を有し、
前記ノックアームは、先端部に前記打球槌を有し、後端部に揺動回転中心を有するとともに、前記間隙を通過して落下した前記小径の遊技球を受け入れて保持する小球保持部が前記先端部と前記後端部との間に形成され、
前記発射装置は、前記ノックアームが前記打球槌を打球位置に位置させる方向に変位した際に、前記小球保持部に保持された小径の遊技球に当接して前記打球槌の打球位置への変位を阻止するストッパを備え、
前記間隙を通過し落下して前記小球保持部に保持された小径の遊技球が、前記ノックアームの揺動に伴って前記小球保持部に保持されたまま揺動して前記ストッパに当接することにより、前記打球槌の前記打球位置への変位を阻止して遊技球の発射を不能とすることを特徴とした。
【０００９】
このように構成したことにより、不正な小径の遊技球は、間隙を通過して落下し、ノックアーム上に形成された小球保持部に保持される。この状態では、ノックアームが打球槌を打球位置に位置させる方向に揺動したとしても、小球保持部に保持された小径の遊技球がストッパに当接した時点で揺動が阻止されるので、打球槌が打球位置に至ることがない。つまり、遊技球は発射されることがない。
したがって、以降は、小球保持部に保持されたこの不正な遊技球を取り除かなければ、遊技を再開できない。
このように、本発明では、不正遊技を検知することができると共に、以降の遊技を確実にストップすることができ、小球ゴトに対する確実な対応が可能となる。
【００１０】
また、本発明は、前記小球保持部を覆うカバーが、前記ノックアームの揺動面に略平行に設けられていることを特徴とした。
【００１１】
このように構成したことにより、本発明は、小球保持部に落下した遊技球を、ノックアームの揺動にかかわらず、小球保持部に確実に保持させたまま揺動させることができる。
したがって、以降の遊技を確実にストップすることができ、小球ゴトに対する確実な対応が可能となる。
さらに、ストップした遊技を再開するために遊技球を取り出す作業において、発射装置全体を覆っている前面カバーを開けた際に、小球保持部から不正遊技球が遊技機内部にこぼれることを防止することができるので、小球保持部での不正遊技球の存在を確実に認識することができるとともに、その不正遊技球を確実に回収することができる。
【００１２】
さらに本発明は、前記小球保持部は、上方が開口した略コ字状の小球保持空間を有し、前記小球保持空間は、前記ノックアームの揺動する円弧に対して略接する方向に設けられた前記打球槌の側面と、前記側面に連続したノックアーム本体側面とから形成されていることを特徴とした。
【００１３】
このように構成したことにより、打球槌とノックアーム側面とによって略コ字状の小球保持空間が構成されるので、従来の発射装置と比べても、ストッパの設置と、このようなノックアーム上への小球保持部の形成という、比較的簡単な設計変更は、格別なコストアップの要因とならない。
【００１４】
このように、本発明によれば、小径の遊技球を用いた不正遊技を確実に検知することとあわせて、小径の遊技球を用いた場合のその後の遊技を不能とする発射装置を備えた弾球遊技機を提供することができる。
【図面の簡単な説明】
【００１５】
【図１】本発明の実施形態例に係るパチンコ機の、ガラス扉、球受皿、および前面カバーを取り除いた状態での、発射装置が配置される状態を示す正面図である。
【図２】本発明の実施形態例に係るパチンコ機の発射装置拡大正面図である。
【図３】本発明の実施形態例に係るパチンコ機の発射装置の右上方からの斜視図である。
【図４】本発明の実施形態例に係るパチンコ機の発射装置の上方からの側面図である。
【図５】本発明の実施形態例に係るパチンコ機の発射装置の正常な遊技球が使用された場合の説明図である。
【図６】本発明の実施形態例に係るパチンコ機の発射装置において、小径の不正な遊技球が使用された場合の説明図である。
【発明を実施するための形態】
【００１６】
本発明の実施の形態について説明する。
図１に示すように、本実施の形態例のパチンコ機Ｐは、遊技盤Ｂを支持する支持基台Ｋを有する遊技機本体枠Ｆを備え、この遊技盤Ｂの盤面上には、遊技球を案内するガイドレール８、９によって遊技領域Ｇが区画されており、さらにこの遊技領域Ｇには、図示しない複数の障害釘、始動入賞口、大入賞口、スルーチャッカや遊技球の入賞検知に基づいて制御処理される演出表示装置などが設けられている。
遊技機本体枠Ｆの前面側には、遊技領域Ｇを含む本体上部を回動自在に覆うガラス扉と、支持基台Ｋを含む本体下部を回動自在に覆う前面カバーとが設けられているが、図１では、これらガラス扉、前面カバーは取り外した状態とされている。
このガラス扉には透明窓が設けられており、この透明窓から遊技領域Ｇが視認できるようになっている。
また前面カバーの前面側（遊技者側）には球受皿が設けられており、この球受皿には入賞により払い出された遊技球（賞球）や遊技者が購入した遊技球が貯留可能となっており、ここに貯留された遊技球は、後述する発射装置Ｍに誘導されるようになっている。この前面カバーを開扉すると、図１に示すように、遊技球の発射装置Ｍを視認することができる。
【００１７】
このパチンコ機Ｐの本体下部の中央には、図１に示すように、発射装置Ｍが取り付けられたベース板１０が、奥側にロータリーソレノイドを載置した状態で取り付けられている。
発射装置Ｍの主要部は、このベース板１０の手前側（遊技者側）に組み付けられている。
この発射装置Ｍは、遊技球案内通路７の通路入口Ｇに向けて遊技球を発射するように、該遊技球案内通路７の入口Ｇに対向して設けられる。
したがって、この発射装置Ｍから発射された遊技球は、発射装置Ｍにより、内側ガイドレール８と外側ガイドレール９とからなるガイドレールで形成された遊技球案内通路７の通路入口Ｇへ向かう。
そして、通路入口Ｇから遊技球案内通路７を通り、遊技領域Ｇに投入される。
【００１８】
発射装置Ｍは、図２〜図４に示すように、ベース板１０上に組み付けられた、第１停止部材１１、第２停止部材１２、発射レール１３、球保持部材１４、ロータリーソレノイド（駆動手段）１５、ストッパ１６、ノックアーム２０、アームカバー２１などにより構成されている。
【００１９】
このうち、ノックアーム２０は、先端部に遊技球を打球する打球槌２０ａを有し、後端部にノックアーム２０の揺動回転中心２０ｄを有している。そして、該先端部と後端部との間には、小径の遊技球を受け入れて保持するための小球保持部２０ｃが設けられている。さらに、ノックアーム２０の正面視下側には、第１停止部材１１と当接する下死点当接部２０ｂが設けられており、揺動回転中心２０ｄの近傍のノックアーム２０の正面視上側には、第２停止部材１２と当接する上死点当接部２０ｅが設けられている。
これにより、ノックアーム２０は、駆動手段であるロータリーソレノイド１５により駆動されて、揺動回転中心２０ｄを中心にして、下死点当接部２０ｂが第１停止部材１１と当接する位置と、上死点当接部２０ｅが第２停止部材１２と当接する位置との間で揺動するように構成されている。この揺動回転中心２０ｄは、後述する打球位置より下方に位置するように、ベース板１０上に形成されている。
【００２０】
ここで、図示されていない整流器が発射レール１３の側面あるいは上方に備えられており、該整流器により遊技球が発射レール１３上に１個ずつ供給されるように構成されている。
発射レール１３は、遊技球の発射方向に向かって上方に傾斜するように形成されており、また傾斜方向に垂直な断面が略Ｖ字型あるいは略Ｕ字型の溝形となっている。
したがって、遊技球は、この溝にガイドされながら、ガイドレールで形成された遊技球案内通路７の通路入口Ｇ３へ向かって斜め上方に発射されることとなる。
【００２１】
また、発射レール１３の下方端側の上方には、整流器によって供給された遊技球Ｑを予め定められた所定の位置（打球位置）に保持するための遊技球保持部１４が設けられている。
この遊技球保持部１４は、発射レール１３との間で、正常な径の遊技球Ｑは発射レール上の所定の打球位置に保持するが、該正常な径よりも小径の遊技球ｑは通過させる間隙（ｐ）を有して対向設置されている。したがって、通常の遊技球Ｑは、この間隙により下方に落下することなく所定の位置（打球位置）に保持されることとなる。しかし、この間隙（ｐ）よりも小径の遊技球ｑ（不正な遊技球）は、整流器から発射レール１３上に供給されたとしても、遊技球保持部１４に保持されること無く発射レール１３の下方端から下方に落下するように構成されている。図６（１）。
【００２２】
図５（１）に示すように、ノックアーム２０は、その上死点当接部２０ｅが、ベース板１０上に固定された第２停止部材１２に当接すると、先端部の打球槌２０ａが、前記した予め定められた所定の位置に保持された遊技球Ｑを打球し、発射させる位置となるように設定されている。
【００２３】
また、ノックアーム２０の前記した小球保持部２０ｃは、ノックアーム２０が第１停止部材１１に当接している待機状態においては、上方に開口した略コ字型の小球保持空間２０ｃ’を有している。
この小球保持空間２０ｃ’は、打球槌２０ａの内側面２０ａ’と、該内側面２０ａ’に連続したノックアーム本体側面２０ｆとによって形成されている。
そして、ノックアーム本体側面２０ｆは、ノックアーム２０が第１停止部材１１に当接している待機状態（図５（１）あるいは図６（１）に示す状態）では、上方から落下してくる小径の遊技球ｑを小球保持部２０ｃにガイドすべく、揺動回転中心２０ｄを要とした略扇状に形成されている。
一方、打球槌２０ａの内側面２０ａ’は、ノックアーム２０の揺動する円弧に対し略接する方向に設けられている。したがって、打球槌２０ａは打球位置にある遊技球に対し効率的に衝撃力を与えることができる。
そして、図６の左図に示すように、上方から落下してくる小径の遊技球ｑは、確実に小球保持部２０ｃに受け入れられるとともに、その略コ字状に形成された小球保持空間２０ｃ’の底部に保持された状態のまま、ノックアーム２０の揺動にあわせて揺動することとなる。
【００２４】
さらに、発射レール１３の下側には、小球保持空間２０ｃ’に進入可能な位置に、ストッパ１６が固定されている。
図５に示すように、このストッパ１６は、小球保持部２０ｃに小径の遊技球ｑが保持されていない状態（つまり、発射装置が正常に動作している状態）では、ノックアーム２０の小球保持空間２０ｃ’内に全体がすっぽり進入することができる大きさに設定されている。したがって、この状態では、図５（２）に示すように、ノックアーム２０は、その上死点当接部２０ｅが第２停止部財１２に当接するまで揺動し、その打球槌２０ａは、予め定められた所定の位置に保持された遊技球Ｑを打球し発射させる位置へ動作できることとなる。
【００２５】
これに対し、図６に示すように、小球保持部２０ｃに小径の遊技球ｑが保持されている状態では、ノックアーム２０の上死点当接部２０ｅが第２停止部財１２に当接する方向に揺動したとしても、打球槌２０ａが予め定められた打球位置に届く前に、ストッパ１６が該小径の遊技球ｑに当接し、それ以上の揺動ができなくなってしまうようにストッパ１６の位置が設定されている。図６（２）
これにより、小球保持部２０ｃに小径の遊技球ｑが保持されている状態では、打球槌２０ａの先端部は予め定められた打球位置まで達しないこととなる。したがって、例え打球位置に正常な大きさの遊技球Ｑが供給されているとしても、その遊技球Ｑを発射することができない。
【００２６】
また、図２〜図４に示すように、ノックアーム２０の揺動方向に平行な板面を有するカバー２１が、ベース板１０に取り外し可能に取り付けられている。
該カバー２１は、ノックアーム２０全体をカバーするように設けられており、小球保持空間２０ｃ’に落下した小径の遊技球を、遊技機下部に落としてしまうことなく、確実に小球保持部２０ｃ内に確保することができる。これにより、小径の遊技球ｑが確保できるので、小径の遊技球ｑの使用（不正遊技の実行）を確認することが可能となる。
また、該カバー２１は、透明な合成樹脂で構成されており、小球保持部２０ｃに小径の遊技球ｑが収納されているか否かを、カバー２１を取り外すことなく確認することができる。
【００２７】
本発明の実施の形態における発射装置Ｍは、以上のように構成されているので、小径の遊技球ｑが正規の遊技球Ｑに混入されて使用された場合、次のように動作する。
整流器から遊技球を遊技球保持部１４に供給する時点では、ノックアーム２０は第１停止部１１に当接した待機状態にある。
該小径の遊技球ｑが遊技球保持部１４に供給されたとしても、遊技球保持部１４と発射レール１３との間隙より小径なので、該間隙を通過して下方に落下することになる。この小径の遊技球ｑが間隙から落下する時点では、ノックアーム２０は、第１停止部材１１にまだ当接した待機状態にあるように制御されている。
したがって、落下した小径の遊技球ｑは、上方に開口した小球保持部２０ｃに受け入れられ、その底部に確保されることとなる。
次に、ノックアーム２０が揺動を始め、その打球槌２０ａが遊技球の打球位置に進入しようとしても、ストッパ１６が小径の遊技球ｑに当接することで、それ以上の揺動が停止される。そのように揺動が停止されると、打球槌２０ａが打球位置に届かなくなる。
したがって、たとえ正規の遊技球Ｑが遊技球保持部１４に供給されていたとしても、小球保持部２０ｃに小径の遊技球ｑが確保されている状態では、発射装置Ｍは、もはや機能しなくなる。
【００２８】
発射装置Ｍを再機能させるためには、発射装置Ｍ全体を覆っている前面カバーを開き、発射装置Ｍの小球保持部２０ｃ内に遊技球ｑが確保されていることを確認した上、カバー２１を取り外し（又はカバーを開扉し）、小球保持部２０ｃに確保されている小径の遊技球ｑを取り出さなければならない。
このように、本発明では、小径の遊技球ｑの使用に対し、発射装置Ｍ自体を不能とするととともに、小径の遊技球ｑの使用を確認することができる。
【００２９】
そして、従来の発射装置に対し、ストッパ１６の設置と、このようなノックアーム２０上への小球保持部２０ｃの形成という、比較的簡単な設計変更を行うことで済むので、格別なコストアップの要因とならない。
【００３０】
このように、本発明によれば、小径の遊技球ｑを用いた不正遊技を確実に検知することとあわせて、小径の遊技球ｑを用いた場合のその後の遊技を不能とする発射装置Ｍを備えた弾球遊技機を提供することができる。
【００３１】
なお、本発明は上述した実施形態例に限定されることはなく、特許請求の範囲に記載された発明の技術思想の範囲内で以下のような様々な変形が可能である。
（１）前記した実施の形態例では、揺動回転中心２０ｄは遊技球保持部１４における打球位置より下方に設定してあるが、これに限ることなく、小径の遊技球ｑのみが打球位置から離脱することができ、その離脱した小径の遊技球ｑが確実にノックアームの小球保持部に確保されるように構成することが可能である。
【００３２】
（２）前記した実施の形態例では、カバー２１がノックアーム２０全体を覆うようにベース板１０に取り付けられているが、これに限ることなく、ノックアーム２０の小球保持空間２０ｃ’のみを遊技者側の側面からカバーするように、ノックアーム２０自体にそのようなカバーを取り外し自在に、あるいは開閉自在に取り付けることもできる。
このように構成すると、カバーの製造コストを低減することができるとともに、小球保持部からの不正球の取り出しが比較的容易となる。
【００３３】
（３）ストッパ１６に圧電素子を取り付け、不正な遊技球がストッパに当接することにより該圧電素子から信号が出力されるように構成することもできる。あるいは、小球保持部２０ｃに進入した小径の遊技球ｑを検知する検知素子を備えるように構成することもできる。このように構成すると、パチンコ機の発射装置Ｍ全体を覆っている前面カバーを開けて小径の遊技球ｑの存在確認をするまでもなく、発射装置Ｍのトラブルが、小球ゴトによるものか、それ以外の何らかのトラブルによるものかを区別することができる。
【００３４】
（４）ストッパ１６を、ゴム製あるいはゴムで被覆するように構成することもできる。このように構成すると、ノックアーム２０の揺動に伴ってストッパ１６と小径の遊技球ｑとの衝突に伴い発生する騒音を軽減することができる。
【符号の説明】
【００３５】
１０  ベース板
１１  第１停止部材
１２  第２停止部財
１３  発射レール
１４  遊技球保持部
１５  ロータリーソレノイド（駆動手段）
１６  ストッパ
２０  ノックアーム
２０ａ  打球槌
２０ｂ  下死点当接部
２０ｃ  小球保持部
２０ｄ  揺動回転中心
２０ｅ  上死点当接部
２０ｆ  ノックアーム本体側面
２１  カバー
Ｂ  遊技盤
Ｇ  遊技領域
Ｍ  発射装置
Ｑ  正規の遊技球
ｑ  小径の遊技球（不正な遊技球）  
【図１】
2013208171.tif 000003
【図２】
2013208171.tif 000004
【図３】
2013208171.tif 000005
【図４】
2013208171.tif 000006
【図５】
2013208171.tif 000007
【図６】
2013208171.tif 000008